(57)【要約】【課題】一般的に市販されているダルマにおいては、合格や必勝などの祈願目的がダルマの前面下部に明記され区分されているが、形状による区分は無く、ダルマ本体は他の祈願用と共通したものであり、合格の祈願に特化したものが無いことである。【解決手段】本発明は、合格の言語の響きと酷似した五角を形状に取り入れることにより、合格を祈願するものであることをダルマの体型から視覚で印象付けることを特徴とする立体および平面のダルマを提供する。【選択図】図１
2013240463.tif 000002
【特許請求の範囲】
【請求項１】
据え置きの為の底面と、底面と平行した頂部面および、縦方向に長い略６角形の周囲面五面で形成され、横断面が五角形の立体形状としたことを特徴とする合格祈願ダルマ。
【請求項２】
立体を形成する周囲の五面のうち、任意の一面を正面とし、その上部にダルマをイメージした顔を表現し、下部に祈願目的である合格の文字を記載したことを特徴とする請求項１記載の合格祈願ダルマ。
【請求項３】
平面上に五角形の輪郭で表現したもので、下方の一辺が水平方向に位置する配置で、上部にダルマをイメージした顔を表現し、下部に祈願目的である合格の文字を記載したことを特徴とする合格祈願ダルマ。
【発明の詳細な説明】
【技術分野】
【０００１】
本発明は、大学、高校などへの進学や、資格取得における受験の際に、合格を祈願する縁起物としてのダルマに関するものである。
【背景技術】
【０００２】
ダルマは、古くから縁起ものとして、厄除けや家内安全、開運など各種祈願のために一般家庭や多くの企業などが買い求めたり、贈答用として用いられている。
【０００３】
受験時の合格祈願や勝負事での必勝祈願など、祈願の内容については、多くの場合ダルマ本体の前面下部に明記することで区分されている。
【０００４】
五角と合格の語呂合わせによる合格祈願品は、五角形にした筆記具や、一般的なダルマが五角形の容器に挿入されたアクセサリーなどが開示され商品化されているが、ダルマ自体を五角形にしたものは開示されていない。
【０００５】
特許文献１においては、角帽をつけた受験合格ダルマとして開示されているが、丸みを帯びた一般的なダルマの形状を基本型とし、角帽をつけることで学術分野における合格祈願を特化するものであり、五角と合格の言語の響きの類似により合格を印象付けるため、ダルマ自体を五角形断面とした本発明とは異なるものである。
【０００６】
特許文献２においては、ダルマの一部に志望校の校章を表示して合格祈願するものとして開示されているが、丸みを帯びた一般的なダルマの形状を基本型としているものであり、五角と合格の言語の響きの類似により合格を印象付けるため、ダルマ自体を五角形断面とした本発明とは異なるものである。
【先行技術文献】
【特許文献】
【０００７】
【特許文献１】特開２００９−９５３９８号公報
【特許文献２】実開平１−１５４８８６号公報
【発明の概要】
【発明が解決しようとする課題】
【０００８】
一般的に市販されているダルマにおいては、合格や必勝の祈願目的がダルマの前面下部に明記され区分されているが、ダルマ本体は丸みをおびた画一的なもので、他の祈願用と共通したものであり、合格祈願に特化したものが無いことである。
【課題を解決するための手段】
【０００９】
本発明は、合格の言語の響きと酷似した五角を形状に取り入れることにより、合格を祈願するものであることを、ダルマの体型から視覚で印象付けることを特徴とする立体および平面のダルマを提供する。
【００１０】
立体形状においては、据え置きの為の底面と、底面と平行した頂部面および、縦方向に長い略６角形の周囲面五面で形成され、横断面が五角形であることを特徴とする。
【００１１】
立体を形成する周囲の五面のうち、任意の一面を正面とし、その上部にダルマをイメージした顔を表現し、下部に祈願目的である合格の文字を記載したことを特徴とする。
【００１２】
平面形状においては、五角形の輪郭で表現され、下方の一辺を底辺として水平方向に配置し、頂部をダルマの頭部とし、上部にダルマをイメージした顔を表現し、下部に祈願目的である合格の文字を記載したことを特徴とする。
【発明の効果】
【００１３】
本発明により、合格の言語の響きと酷似した五角を形状に取り入れることで、合格祈願を特化したものであることを、ダルマの体型から視覚で印象付けることが可能となる。
【００１４】
立体形状においては、据え置きの為の底面と、底面と平行した頂部面および、縦方向に長い略６角形の周囲面五面で形成され、横断面が五角形をなし、一般のダルマと同等の外観イメージとすることで縁起物としての価値を大幅に低下させることなく提供することが可能となる。
【００１５】
平面形状においては、ダルマの外観を五角形の輪郭で表現するもので、下方の一辺を底辺として水平方向に配置し、頂部をダルマの頭部とし、上部にダルマをイメージした顔を表現し、下部に祈願目的である合格の文字を記載しており、平面のダルマとして位置づけ、立体形状のダルマを配置するのに支障となる場合などに用いることが可能である。
【図面の簡単な説明】
【００１６】
【図１】立体形状をなすダルマの全体斜視図である。
【図２】立体形状をなすダルマの正面図である。
【図３】平面状に表現された縦長のダルマを示した図である。
【図４】平面状に表現された横長のダルマを示した図である。
【図５】組み立て式のダルマの展開図を示した図である。
【図６】ペン立てとしての使用例を示した図である。
【発明を実施するための形態】
【００１７】
立体形状１０１においては、底面１および頂部面２を五角形とし、縁起物としての一般的なダルマのイメージを損なわないような体型と顔４を表現し、また受験の合格を祈願するものであることを意味する合格の文字５を本体正面下部に明記することで、一般的なダルマと同等程度の効力を得られるものと認識出来るほか、五角の言語の響きと酷似した合格を意識できるようにしている。
【００１８】
立体形状においては、縁起物であることの重要性を認識し、転倒しにくい形状とする必要性があることから、頂部面２の幅より底面１の幅を大きくすることで安定感を確保している。
【００１９】
平面形状１０２および１０３においても、立体形状１０１同様、縁起物としての一般的なダルマのイメージを損なわないよう、ダルマをイメージした顔４を表現し、また受験の合格を祈願するものであることを意味する合格の文字５を下部に明記することで、一般的なダルマと同等程度の効力を得られるものと認識出来るほか、輪郭６を五角形にしたことで、言語の響きと酷似した合格を意識できるようにしている。
【実施例】
【００２０】
一般的なダルマは、神棚近辺や棚の上などに据え置かれているが、本発明における立体形状１０１のダルマは、受験当事者が常に目にする場所に配置されることが理想であり、マスコット的な位置づけとすることも有効であることから、高さ１０ｃｍ程度以内が適している。
【００２１】
立体形状１０１とするものにおいては、前項に記載した据え置き型とするもののほか、小規模のものについては、携帯電話等の携帯品にアクセサリー的位置付けで取り付けることも可能である。
【００２２】
立体形状１０１とするものにおいては、木材、樹脂、金属など、固体となる材質であれば、あらゆるもので形成が可能である。
【００２３】
平面をなし、折り曲げが可能な紙やプラスチックなどの樹脂を、図５に示す展開図の例により形成することで、組み立て式とすることが可能である。
【００２４】
平面形状のダルマは、立体形状のダルマを置くスペースが確保出来ない場合などに、代替品として活用が可能である。
特に、縦長形状１０２の平面ダルマは、受験参考書などの栞として活用することができ、横長形状１０３の平面ダルマは、壁や机上に貼り付けるなどすることで、常に目にすることが可能となる。
【００２５】
立体形状１０１、平面形状１０２および１０３双方において、全体的な色彩は一般的なダルマと同様の赤色や、合格祈願に適した色とされている白色および青色が適している。
【００２６】
木材や樹脂等固体で形成される立体形状１０１のダルマにおいては、頂部面２に本体内下部に向け筒状の穴９を開けることで、ペンなど筆記具１０を立てるものとして利用でき、合格を祈願する縁起物と兼用して机上に配置できる。
【産業上の利用可能性】
【００２７】
ダルマは、家内安全や合格などの祈願のために重用されているものであり、小型でマスコット的な位置づけとすることで、受け入れられやすいものになる。
携帯品に取り付ける小規模のダルマを木材で作成する場合、建築材等の廃棄部分を活用することで、資源を有効に活用することができる。
また、紙やプラスチック等を使用した組み立て式のダルマにあっては、原材料、製造、輸送などのコストを低廉とすることが可能で、安価に提供できるものである。
【符号の説明】
【００２８】
１０１  立体形状のダルマ
１０２  縦長の平面形状ダルマ
１０３  横長の平面形状ダルマ
１  底面
２  頂部面
３  周囲面
４  ダルマをイメージした顔
５  合格祈願文字
６  五角形の輪郭
７  底辺
８  頂部
９  筒状穴
１０  ペンなど筆記具
【図１】
2013240463.tif 000003
【図２】
2013240463.tif 000004
【図３】
2013240463.tif 000005
【図４】
2013240463.tif 000006
【図５】
2013240463.tif 000007
【図６】
2013240463.tif 000008